(57)【特許請求の範囲】
【請求項１】
天板と；
前記天板の下部に結合され、作動部の作動時に係止突起が高さ調節部材の調節孔と離脱した状態で昇降部材が昇降する脚部と；
前記天板の下部に固定された固定片に軸ピンを中心に回転可能に結合される作動レバー、および前記作動レバーの作動により高さ調節部を加圧する加圧部材を備えることにより、前記作動レバーの作動時に前記加圧部材が高さ調節部材に対して加圧又は加圧解除することによって高さ調節部材の調節孔が脚部の係止突起に対して離脱又は係止設定されるようにする作動部と；
前記脚部の上部ブラケットの内側にそれぞれ結合され、作動部の作動時に高さ調節部材が軸を中心に回転しながら複数の調節孔が係止突起に対して離脱又は係止設定されることにより脚部の高さを段階的に調節するようにする高さ調節部とを含んでなることを特徴とする、高さ調節可能なテーブル。
【請求項２】
前記脚部は、
前記天板の下部に固定され、昇降部材が結合されるように案内長孔が形成される上、下部ブラケットと；
前記上、下部ブラケットに鋏状に固定され、一端部は回転案内軸によって固定され、他端部は係止突起が突出するように案内ローラが結合されることにより案内長孔に沿って案内されるようにする昇降部材と；
前記昇降部材と前記昇降部材との間に装着され、前記昇降部材が急激に下降しないようにする弾性部材とを含んでなることを特徴とする、請求項１に記載の高さ調節可能なテーブル。
【請求項３】
前記弾性部材は直径の異なる２つのスプリングからなることを特徴とする、請求項２に記載の高さ調節可能なテーブル。
【請求項４】
前記昇降部材の回転案内軸に結合され、昇降部材が弾力的に昇降するようにする補助スプリングをさらに含んでなることを特徴とする、請求項２に記載の高さ調節可能なテーブル。
【請求項５】
前記高さ調節部は、
前記脚部の上部ブラケットの内側に固定される固定部材と；
前記固定部材に結合され、作動部の作動時に軸を中心に回転しながら脚部の高さを調節する高さ調節部材と；
前記高さ調節部材と前記固定部材との間に装着され、前記高さ調節部材を復元させる復元部材とを含んでなることを特徴とする、請求項１に記載の高さ調節可能なテーブル。
【請求項６】
前記高さ調節部材は、
前記作動部の作動により回転する高さ調節体と；
前記高さ調節体の上部に形成される加圧突起と；
前記高さ調節体の下部に形成され、前記脚部の係止突起に対して係止又は離脱されるようにする複数の調節孔とを含んでなることを特徴とする、請求項５に記載の高さ調節可能なテーブル。
【請求項７】
前記高さ調節部と前記高さ調節部との間に結合され、前記加圧部材の加圧によって連動しながら前記高さ調節部が同時に作動するようにする連動部をさらに含んでなることを特徴とする、請求項１に記載の高さ調節可能なテーブル。
【請求項８】
前記連動部は、
前記高さ調節部に形成された前記加圧突起に結合溝がそれぞれ結合されて連動案内具の両側に連結され、前記作動部の作動時に連動案内具を中心に回転しながら連動する連動部材と；
前記連動部材が連動するように中心軸を中心に回転する連動案内具とを含んでなることを特徴とする、請求項７に記載の高さ調節可能なテーブル。
【発明の詳細な説明】
【技術分野】
【０００１】
本発明は、高さ調節可能なテーブルに係り、より詳しくは、作動部の作動により高さ調節部材を回転させて高さ調節部の係止設定を解除させ、天板を垂直に昇降させて所望の高さに位置させた後、作動部の作動を解除させながら天板の高さを段階的に調節するようにすることにより、空間活用性を極大化するとともに内部構造を簡素化して製造コストを節減するうえ、使用者の便宜性を向上させる高さ調節可能なテーブルに関する。
【背景技術】
【０００２】
一般に、テーブル（ｔａｂｌｅ）は、使用用途に合わせて様々なサイズと形状に製作される。このようなテーブルは、幼児用テーブルの場合には小さくて軽く、家庭用やオフィス用テーブルの場合には使い勝手の良さが求められるため大きくて重い。
【０００３】
前述したようなテーブルは、天板と多数の支え脚から構成され、使用時には支え脚を伸ばして使用し、未使用時には支え脚を折り畳んで保管する。
【０００４】
しかし、前記テーブルは、天板から支え脚を伸ばすと、テーブルが一定の高さに固定されて便利に使用できるが、天板の高さ調節が不可能であって実用性に劣るという問題点があった。
【０００５】
かかる問題点を解決するために、天板を折り畳み式にして簡便に使用することが可能なテーブルも市販されており、このような折り畳み式テーブルは、天板を上昇させると、前記天板は折り畳まれた状態で使用者側の対角方向に放物線を描きながら上昇するので、その該当する分だけのテーブル設置空間をさらに必要として空間効率性に劣るという問題点があった。
【０００６】
最近、かかる問題点を解決するために、特許文献１にテーブルの高さ調節装置が開示されている。
【０００７】
前記先登録発明は、テーブルの天板の両側に第１案内長孔が形成され、受け台の内部に装着される支持板の側面に第２案内長孔が形成され、前記第１、２案内長孔に伸縮リンクが移動可能に結合され、前記伸縮リンクを伸縮させるために下側移動ピンを連結する移動体が連結され、前記移動体を第２案内長孔の範囲内で前進、後進させるねじ軸が形成され、前記ねじ軸を回転させるための回転手段が構成されることにより、従来の机とは異なりテーブルの高さ調節が可能であって便利かつ有用に使用することができる。
【０００８】
ところが、先登録発明は、テーブルの高さを調節するために、減速モーターまたはハンドルを回転させると、ねじ軸が回転しながら伸縮リンクを伸縮させて天板を昇降させるので、内部構造が複雑であって組立が難しく、製造コストが上昇するうえ、頻繁な故障を引き起こす原因となるという問題点があった。
【先行技術文献】
【特許文献】
【０００９】
【特許文献１】大韓民国登録特許公報第１０−０３３０６６１号
【発明の概要】
【発明が解決しようとする課題】
【００１０】
そこで、上述したような従来の諸般問題点に鑑みてなされたもので、その目的は、作動部の作動により高さ調節部材を回転させて高さ調節部の係止設定を解除させ、天板を垂直に昇降させて所望の高さに位置させた後、作動部の作動を解除させながら天板の高さを段階的に調節するようにすることにより、空間活用性を極大化させるとともに内部構造を簡素化して製造コストを節減するうえ、使用者の便宜性を向上させる高さ調節可能なテーブルを提供することにある。
【課題を解決するための手段】
【００１１】
本発明の高さ調節可能なテーブルは、天板と；前記天板の下部に結合され、作動部の作動時に係止突起が高さ調節部材の調節孔と係合されながら昇降部材が昇降する脚部と；前記天板の下部に固定された固定片に軸ピンを中心に回転可能に結合される作動レバー、および前記作動レバーの作動により高さ調節部を加圧する加圧部材を備えることにより、前記作動レバーの作動時に高さ調節部材に対して加圧及び加圧解除しながら高さ調節部材の調節孔が脚部の係止突起に対して離脱及び係止設定されるようにする作動部と；前記脚部の上部ブラケットの内側にそれぞれ結合され、作動部の作動時に高さ調節部材が軸を中心に回転しながら多数の調節孔が係止突起に対して離脱および係止設定されることにより脚部の高さを段階的に調節するようにする高さ調節部とを含んでなることを特徴とする。
【発明の効果】
【００１２】
本発明は、作動部の作動により高さ調節部材を回転させて高さ調節部の係止設定を解除させ、天板を垂直に昇降させて所望の高さに位置させた後、作動部の作動を解除させながら天板の高さを段階的に調節するようにすることにより、空間活用性を極大化させるとともに内部構造を簡素化して製造コストを節減するうえ、使用者の便宜性を増大させるという利点がある。
【図面の簡単な説明】
【００１３】
【図１】本発明の正断面図である。
【図２】本発明の側断面図である。
【図３】本発明の作動状態図である。
【図４】本発明の作動状態図である。
【図５】本発明の作動状態図である。
【図６】本発明の作動状態図である。
【図７】本発明の作動状態図である。
【図８】本発明のテーブルの収納空間に収納されて使用される状態図である。
【図９】本発明のテーブルの収納空間に収納されて使用される状態図である。
【発明を実施するための形態】
【００１４】
以下、添付図面に基づいて、本発明の一実施例を詳細に説明する。
【００１５】
本発明の高さ調節可能なテーブル１００は、天板１１０と；前記天板１１０の下部に結合され、作動部１３０の作動時に係止突起１２２ｂ’が高さ調節部材１４２の調節孔１４２ｃと係合されながら昇降部材１２２が昇降する脚部１２０と；前記天板１１０の下部に固定された固定片１３１ａに軸ピン１３１ｂを中心に回転可能に結合される作動レバー１３１、および前記作動レバー１３１の作動により高さ調節部１４０を加圧する加圧部材１３２を備えることにより、前記作動レバー１３１の作動時に加圧部材１３２が高さ調節部材１４２に対して加圧よび加圧解除しながら高さ調節部材１４２の調節孔１４２ｃが脚部１２０の係止突起１２２ｂ’に対して離脱および係止設定されるようにする作動部１３０と；前記脚部１２０の上部ブラケット１２１の内側にそれぞれ結合され、作動部１３０の作動時に高さ調節部材１４２が軸１４２ａ’を中心に回転しながら多数の調節孔１４２ｃが係止突起１２２ｂ’に対して離脱および係止設定されることにより脚部１２０の高さを段階的に調節するようにする高さ調節部１４０とを含んで構成される。次に、これについてより具体的に説明する。
【００１６】
前記脚部１２０は、前記天板１１０の下部に固定され、昇降部材１２２が結合されるように案内長孔１２１ａを有する上、下部ブラケット１２１、１２１’と、前記上、下部ブラケット１２１、１２１’に鋏状に固定され、一端部は回転案内軸１２２ａによって固定され、他端部は係止突起１２２ｂ’が突出するように案内ローラ１２２ｂが結合されることにより案内長孔１２１ａに沿って案内されるようにする昇降部材１２２と、前記昇降部材１２２と前記昇降部材１２２との間に装着され、前記昇降部材１２２が急激に下降しないようにする弾性部材１２３とを含んでなる。
【００１７】
前記弾性部材１２３は、直径の異なる２つのスプリングからなる。
【００１８】
前記脚部１２０は、前記昇降部材１２２の回転案内軸１２２ａに結合され、昇降部材１２２が弾力的に昇降するようにする補助スプリング１２４をさらに含んでなる。
【００１９】
前記高さ調節部１４０は、前記脚部１２０の上部ブラケット１２１の内側に固定される固定部材１４１と、前記固定部材１４１に結合され、作動部１３０の作動時に軸１４２ａ’を中心に回転しながら脚部１２０の高さを調節する高さ調節部材１４２と、前記高さ調節部材１４２と固定部材１４１との間に装着され、高さ調節部材１４２を復元させる復元部材１４３とを含んでなる。
【００２０】
前記高さ調節部材１４２は、前記作動部１３０の作動により軸１４２ａ’を中心に回転する高さ調節体１４２ａと、前記高さ調節体１４２ａの上部に形成される加圧突起１４２ｂと、前記高さ調節体１４２ａの下部に形成され、脚部１２０の係止突起１２２ｂ’に対して係止および離脱されるようにする多数の調節孔１４２ｃとを含んでなる。
【００２１】
本発明の高さ調節可能なテーブル１００は、前記高さ調節部１４０と高さ調節部１４０との間に結合され、加圧部材１３２の加圧によって連動しながら前記高さ調節部１４０が同時に作動するようにする連動部１５０をさらに含んでなる。
【００２２】
前記連動部１５０は、前記高さ調節部１４０に形成された加圧突起１４２ｂに結合溝１５１’がそれぞれ結合されて連動案内具１５２の両側に連結され、作動部１３０の作動時に連動案内具１５２を中心に回転しながら連動する連動部材１５１と、前記連動部材１５１が連動するように中心軸１５２’を中心に回転する連動案内具１５２とを含んでなる。
【００２３】
次に、上述のように構成された本発明の一実施例の組立工程を詳細に説明する。
【００２４】
まず、図１および図２に示すように、木材で出来た平らな天板１１０を裏返して天板１１０の下面が上方を向くようにする。
【００２５】
前記天板１１０の両側に上部ブラケット１２１を一定の間隔で固定させた後、前記上部ブラケット１２１の外側に隣接するように固定片１３１ａを固定させた状態で、前記固定片１３１ａに作動レバー１３１を軸ピン１３１ｂで結合させて回転可能にする。
【００２６】
前記作動レバー１３１の内側面には、高さ調節部材１４２を加圧する加圧部材１３２が密着するように設置される。
【００２７】
また、前記上部ブラケット１２１の内側に高さ調節部１４０の固定部材１４１を固定し、前記固定部材１４１の内側には調節孔１４２ｃを有する高さ調節部材１４２を位置させた後、固定部材１４１の外側から高さ調節部材１４２側へ軸１４２ａ’を結合して前記高さ調節部材１４２を回転可能にする。
【００２８】
このとき、前記高さ調節部材１４２の加圧突起１４２ｂに作動部１３０の加圧部材１３２が密着するようにして、加圧部材１３２の加圧の際に高さ調節部材１４２の回転作動を可能とする。
【００２９】
前記高さ調節部材１４２と固定部材１４１の間に復元部材１４３を装着させるが、前記復元部材１４３の一端は高さ調節部材１４２の一側面に固定させ、前記復元部材１４３の他端は固定部材１４１の内側面に固定させる。
【００３０】
上述のように高さ調節部１４０の組立が完了すると、前記高さ調節部１４０と高さ調節部１４０との間に、作動部１３０の作動時に高さ調節部１４０を同時に作動させる連動部１５０を固定するが、連動部１５０の連動部材１５１に形成された結合溝１５１’を高さ調節部材１４２の加圧突起１４２ｂにそれぞれ結合させた後、連動部材１５１の両端部を連動案内具１５２の両側に結合させる。
【００３１】
前記連動案内具１５２は、高さ調節部１４０と高さ調節部１４０との間の中心に中心軸１５２’を中心に回転可能に固定される。
【００３２】
また、鋏状に形成された昇降部材１２２の一端部は上、下部ブラケット１２１、１２１’に回転案内軸１２２ａでそれぞれ固定して回転可能にし、前記昇降部材１２２の他端部は案内ローラ１２２ｂを装着して上、下部ブラケット１２１、１２１’の内側面に転がり接触しながら案内されるようにする。前記案内ローラ１２２ｂには案内長孔１２１ａ側に係止突起１２２ｂ’が突出するように形成され、該係止突起１２２ｂ’が高さ調節部材１４２の調節孔１４２ｃと係合される。
【００３３】
前記天板１１０の下部に位置した昇降部材１２２と昇降部材１２２との間には、昇降部材１２２が急激に下降しないようにするとともに上昇時には弾力的に上昇することができるように、スプリングからなる弾性部材１２３が連結固定される。
【００３４】
前記弾性部材１２３は、直径の大きいスプリングの内側に直径の小さいスプリングが挿入されて二重に形成される。このような弾性部材１２３は昇降部材の昇降作動をスムーズにする役割を果たす。
【００３５】
また、前記昇降部材１２２の回転案内軸１２２ａに補助スプリング１２４をさらに設置することにより、昇降部材１２２の上昇および下降作動を円滑にするように助ける。
【００３６】
次、本発明の一実施例の作動状態を詳細に説明する。
【００３７】
まず、図３〜図７に示すように、折り畳まれた状態のテーブルを一定の高さに持ち上げて伸ばす場合、作動部１３０の作動レバー１３１を把持して加圧する。
【００３８】
前記作動レバー１３１が軸ピン１３１ｂを中心に回転すると、作動レバー１３１の一側の加圧部材１３２が高さ調節部材１４２の加圧突起１４２ｂの一側面を加圧する。
【００３９】
前記加圧突起１４２ｂの加圧によって高さ調節部材１４２が軸１４２ａ’を中心に回転し、前記加圧突起１４２ｂに結合されている連動部１５０の連動部材１５１が連動案内具１５２を中心に回転して高さ調節部材１４２を同時に回転するようにする。
【００４０】
このとき、前記昇降部材１２２の係止突起１２２ｂ’に係止設定されていた調節孔１４２ｃが係止突起１２２ｂ’から離脱する。
【００４１】
前述のように係止突起１２２ｂ’から高さ調節部材１４２の調節孔１４２ｃが離脱すると、使用者は、作動部１３０の作動レバー１３１を把持した状態で天板１１０を一定の高さだけ垂直に持ち上げる。
【００４２】
前記天板１１０を持ち上げると、昇降部材１２２は回転軸１２２’を中心に回転し、案内ローラ１２２ｂは上、下部ブラケット１２１、１２１’に転がり接触して案内されると同時に、案内ローラ１２２ｂに形成された係止突起１２２ｂ’は案内長孔１２１ａに沿って案内される。
【００４３】
このとき、係止突起１２２ｂ’は高さ調節部材１４２の調節孔１４２ｃに干渉されなくなる。
【００４４】
使用者は、天板１１０の高さが所望の高さに達すると、作動レバー１３１の加圧力を解除する。
【００４５】
前記作動レバー１３１の加圧力が解除されると、高さ調節部材１４２と固定部材１４１との間に装着された復元部材１４３の弾性力によって高さ調節部材１４２が軸１４２ａ’を中心に回転して復元されると同時に、高さ調節部材１４２の調節孔１４２ｃが昇降部材１２２の係止突起１２２ｂ’に係止設定されて脚部１２０の高さが調節される。
【００４６】
このとき、高さ調節部材１４２の回転の際に、加圧突起１４２ｂを加圧していた加圧部材１３２は高さ調節部材１４２の復元力によって作動レバー１３１側へ移動して作動レバー１３１を最初の状態に回転させる。
【００４７】
また、前記高さ調節部材１４２の加圧突起１４２ｂに結合された連動部材１５１が連動案内具１５２の中心軸１５２’を中心に回転して最初の状態に復元される。
【００４８】
前述の如く、天板１１０の高さが調節された状態で、天板１１０の高さをより上昇させるためには、前述と同様の方法で作動させて天板１１０の高さを調節すればよい。
【００４９】
したがって、前述の如く天板１１０を垂直に昇降させながら高さを段階的に調節する。
【００５０】
また、前述の如く構成される高さ調節可能なテーブル１００は、図８および図９に示すように、収納空間Ａが形成されたテーブル１００’に収納して使用することもできる。
【００５１】
前記高さ調節可能なテーブル１００の上面と収納空間Ａが形成されたテーブル１００’の上面とが同じ高さを持つことになるので、一般な机の機能を行うことができ、前記高さ調節可能なテーブル１００の天板１１０を一定の高さに持ち上げようとする場合、前記作動部１３０の作動方法と同様の方法で操作して天板１１０を持ち上げた後、使用すればよいのである。
【００５２】
以上のように、本発明は、たとえ限定された実施例と図面によって説明されたが、本明細書及び請求の範囲に使用された用語や単語は通常的または事典的な意味に限定されて解釈されてはならず、本発明の技術的思想に合致する意味と概念で解釈されるべきである。
【００５３】
よって、本明細書に記載された実施例と図面に示された構成は、本発明の一実施例に過ぎないもので、本発明の技術思想をすべて代弁するものではないので、本発明の請求の範囲を逸脱しない範疇内で様々な均等物および変形例があり得ることを理解すべきである。
【符号の説明】
【００５４】
１００    テーブル
１１０    天板
１２０    脚部
１２１、１２１’    上、下部ブラケット
１２１ａ    案内長孔
１２２    昇降部材
１２３    弾性部材
１３０    作動部
１３１    作動レバー
１３１ａ    固定片
１３１ｂ    軸ピン
１３２    加圧部材
１４０    高さ調節部
１４１    固定部材
１４２    高さ調節部材
１４２ａ    高さ調節体
１４２ｂ    加圧突起
１４２ｃ    調節孔
１４３    復元部材
１５０    連動部
１５１    連動部材
１５２    連動案内具
【要約】
【課題】
高さ調節可能なテーブルを提供する。
【解決手段】
本発明は、作動部の作動により高さ調節部材を回転させて高さ調節部の係止設定を解除させ、天板を垂直に昇降させて所望の高さに位置させた後、作動部の作動を解除させながら天板の高さを段階的に調節するようにすることにより、空間活用性を極大化させるとともに内部構造を簡素化して製造コストを節減するうえ、使い勝手の良さを向上させて便利に使用することができる高さ調節可能なテーブルを提供する。
【選択図】図１【図１】
0005950172.tif 000002
【図２】
0005950172.tif 000003
【図３】
0005950172.tif 000004
【図４】
0005950172.tif 000005
【図５】
0005950172.tif 000006
【図６】
0005950172.tif 000007
【図７】
0005950172.tif 000008
【図８】
0005950172.tif 000009
【図９】
0005950172.tif 000010